(57)【要約】【課題】使用者が接触操作部を操作しようとして手を差し出したときに、非接触式の切替スイッチが人体検知により誤操作されてしまうのを良好に防止することのできる、吐水管先端部に非接触式の切替スイッチと接触操作部とを設けて成る水栓を提供する。【解決手段】水栓１０の吐水管１２の先端部に、人体検知の有無に基づいて吐水切替えを行う非接触式の切替スイッチ１８と、吐水状態調節を行う接触操作部２０とを設けておく。この場合において切替スイッチ１８が人体検知から非検知に状態変化することにより吐水切替えを行うようにするとともに、切替スイッチ１８が人体検知中に接触操作部２０が操作されたときには、非検知に状態変化しても吐水切替えを行わないものとしておく。【選択図】        図１
2008255743.tif 000002
【特許請求の範囲】
【請求項１】
吐水管の先端部に、人体検知の有無に基づいて吐水切替えを行う非接触式の切替スイッチと、吐水状態調節を行う接触操作部とを設け、該切替スイッチ，接触操作部の操作に基いて制御部により対応する吐水切替弁，吐水状態調節弁をそれぞれ作動制御するようになした水栓であって
前記制御部は、前記切替スイッチが人体検知から非検知に状態変化することにより吐水切替えを行わせ、且つ該切替スイッチが人体検知中に前記接触操作部が操作されたときには該非検知に状態変化しても吐水切替えを行わせないものとしてあることを特徴とする水栓。
【請求項２】
吐水管の先端部に、人体検知の有無に基づいて吐水切替えを行う非接触式の切替スイッチと、吐水状態調節を行う接触操作部とを設け、該切替スイッチ，接触操作部の操作に基いて制御部により対応する吐水切替弁，吐水状態調節弁をそれぞれ作動制御するようになした水栓であって
前記制御部は、前記切替スイッチが人体非検知から人体検知に状態変化することにより吐水切替えを行わせ、且つ人体検知後の第１設定時間内に前記接触操作部が操作されたときには吐水切替えを行わせないものとしてあることを特徴とする水栓。
【請求項３】
吐水管の先端部に、人体検知の有無に基づいて吐水切替えを行う非接触式の切替スイッチと、吐水状態調節を行う接触操作部とを設け、該切替スイッチ，接触操作部の操作に基いて制御部により対応する吐水切替弁，吐水状態調節弁をそれぞれ作動制御するようになした水栓であって
前記制御部は、前記切替スイッチが人体非検知から人体検知に状態変化することにより吐水切替えを行わせ、且つ前記接触操作部の操作時若しくは操作後の第２設定時間内に該切替スイッチが人体非検知から人体検知に状態変化しても吐水切替えを行わせないものとしたことを特徴とする水栓。
【請求項４】
請求項１〜３の何れかにおいて、前記接触操作部が前記切替スイッチの下方に配置してあることを特徴とする水栓。
【発明の詳細な説明】
【技術分野】
【０００１】
この発明は水栓に関し、詳しくは吐水管の先端部に非接触式の切替スイッチと接触操作部とを備えたものに関する。
【背景技術】
【０００２】
吐水管の先端部に操作部を備えた水栓として、従来、下記特許文献１に開示されたものが公知である。
この水栓では、吐水管の先端部に、水と湯との切替えや水道水である原水と浄水との切替え、或いは吐水と止水の切替え等を行う非接触式の切替スイッチが設けてあり、また吐水管の付根部にはシングルレバー式の湯水混合部が設けてあり、吐水管の先端部の切替スイッチを非接触で操作（手かざし操作）すると吐水切替えが行われ、また吐水管の根元部のシングルレバーを操作することで吐水の温度調節や流量調節が行われる。
【０００３】
この特許文献１に開示の水栓は、非接触で吐水切替えを行うことができ、また付根部のシングルレバーを操作することで吐水流量や温度調節等の吐水状態調節を行うことができる点で利便性の高いものである。
【０００４】
しかしながらこの特許文献１に開示の水栓の場合、吐水切替えについては吐水管の先端部で非接触で行うことができるものの、吐水の流量調節や温度調節等の吐水状態調節については、吐水管の付根部のシングルレバーまで手を延ばして操作を行わなければならない問題があり、また吐水管の付根部に嵩高いシングルレバー混合部があるために吐水管ないし水栓が外観的に大型化してしまい、また吐水管の付根部のシングルレバー混合部が水垢汚れし易い問題があった。
【０００５】
尚、他の特許文献として下記特許文献２には、シャワーヘッドの先端部に吐止水切替えを行う吐止水操作部と、吐水流量調節を行う流調操作部とを設けた水栓が開示されている。
【０００６】
しかしながらこの特許文献２に開示のものは、吐水切替えのための吐止水操作部が、使用者が直接手で触って操作する接触式且つ手動式の操作部であって利便性の点で十分でなく、また吐止水操作部に接触することに伴って、同部分に汚れが付き易い問題があった。
【０００７】
更に他の特許文献として下記特許文献３には、吐水管の先端部に回転式のダイヤル操作部を設け、このダイヤル操作部の回転操作によって吐水流量を調節するようになしたものが開示されている。
【０００８】
しかしながらこの特許文献３に開示のものでは、吐止水切替え等の吐水切替用の操作部が接触式且つ手動式のものであり、特許文献１に開示のものと同様の問題を有するものである。
【０００９】
そこで吐水管の先端部に、人体検知の有無に基づいて吐水切替えを行う非接触式の切替スイッチと、吐水状態調節を行う接触操作部とを、ともに設けておくことが考えられる。
このようにしておけば、吐水切替えの操作を吐水管先端部で、即ち使用者に近い手元で非接触で操作することができるとともに、同じく吐水管の先端部で、吐水流量調節等の吐水状態調節を行うこと、即ち２種類の操作の何れをも吐水管の先端部で行うことができ、利便性を更に一段と高めることができる。
【００１０】
しかしながらこのようにした場合、非接触式の切替スイッチと接触操作部とが吐水管の同じ先端部に、即ち互いに近い位置に共存することとなり、この場合次のような新たな問題が生ずる。
即ち、使用者が接触操作部を操作して吐水状態調節を行おうとしたとき、使用者の差し出した手を切替スイッチが誤って人体検知してしまい、切替スイッチを誤操作してしまい易い問題が生ずる。
非接触式の切替スイッチと、接触操作部とを吐水管の同じ先端部にそれぞれ配置する場合、このような切替スイッチの誤検知による水栓の誤動作を防止できるものとしておくことが望ましい。
【００１１】
【特許文献１】特開２００６−１６９９４９号公報
【特許文献２】特開２００１−９５７０９号公報
【特許文献３】特開２００１−２０８２２９号公報
【発明の開示】
【発明が解決しようとする課題】
【００１２】
本発明は以上のような事情を背景とし、使用者が接触操作部を操作しようとして手を差し出した場合において、非接触式の切替スイッチが人体検知に基づいて誤動作してしまうのを良好に防止することのできる、吐水管先端部に非接触式の切替スイッチと接触操作部とを設けて成る水栓を提供することを目的としてなされたものである。
【課題を解決するための手段】
【００１３】
而して請求項１のものは、吐水管の先端部に、人体検知の有無に基づいて吐水切替えを行う非接触式の切替スイッチと、吐水状態調節を行う接触操作部とを設け、該切替スイッチ，接触操作部の操作に基いて制御部により対応する吐水切替弁，吐水状態調節弁をそれぞれ作動制御するようになした水栓であって、前記制御部は、前記切替スイッチが人体検知から非検知に状態変化することにより吐水切替えを行わせ、且つ該切替スイッチが人体検知中に前記接触操作部が操作されたときには該非検知に状態変化しても吐水切替えを行わせないものとしてあることを特徴とする。
【００１４】
請求項２のものは、吐水管の先端部に、人体検知の有無に基づいて吐水切替えを行う非接触式の切替スイッチと、吐水状態調節を行う接触操作部とを設け、該切替スイッチ，接触操作部の操作に基いて制御部により対応する吐水切替弁，吐水状態調節弁をそれぞれ作動制御するようになした水栓であって、前記制御部は、前記切替スイッチが人体非検知から人体検知に状態変化することにより吐水切替えを行わせ、且つ人体検知後の第１設定時間内に前記接触操作部が操作されたときには吐水切替えを行わせないものとしてあることを特徴とする。
【００１５】
請求項３のものは、吐水管の先端部に、人体検知の有無に基づいて吐水切替えを行う非接触式の切替スイッチと、吐水状態調節を行う接触操作部とを設け、該切替スイッチ，接触操作部の操作に基いて制御部により対応する吐水切替弁，吐水状態調節弁をそれぞれ作動制御するようになした水栓であって、前記制御部は、前記切替スイッチが人体非検知から人体検知に状態変化することにより吐水切替えを行わせ、且つ前記接触操作部の操作時若しくは操作後の第２設定時間内に該切替スイッチが人体非検知から人体検知に状態変化しても吐水切替えを行わせないものとしたことを特徴とする。
【００１６】
請求項４のものは、請求項１〜３の何れかにおいて、前記接触操作部が前記切替スイッチの下方に配置してあることを特徴とする。
【発明の作用・効果】
【００１７】
以上のように請求項１のものは、切替スイッチが人体検知から非検知に状態変化することにより吐水切替えを行い、且つ切替スイッチが人体検知中に接触操作部が操作されたときには、非検知に状態変化しても吐水切替えを行わないようにしたものである。
切替スイッチが人体検知中に接触操作部が操作された場合、切替スイッチによる人体検知は、使用者が接触操作部を操作しようとして手を差し出したときに切替スイッチがこれを誤って検知したものと判断することができる。
【００１８】
そこでこの請求項１では、こうした場合には切替スイッチが人体非検知に状態変化しても、使用者の行為が切替スイッチの操作を目的としたものでないと判断して、吐水切替えを行わないようになしたものである。
従ってこの請求項１によれば、使用者が接触操作部を操作しようとしたものか、或いは切替スイッチを操作しようとしたものかを正しく区別し得て、水栓の誤動作を防止することができる。
【００１９】
次に請求項２のものは、切替スイッチが人体検知に状態変化することにより吐水切替えを行い、且つその際に人体検知後の第１設定時間内に接触操作部が操作されたときには、吐水切替えを行わないようになしたものである。
即ちこの請求項２のものは、人体検知に状態変化した後、所定時間（第１設定時間）を待って、非接触の切替スイッチと接触操作部のどちらが操作されたのかを判断し、そして接触操作部が第１設定時間内に操作されていないときには、切替スイッチが操作されたものとして吐水切替えを行い、また一方、第１設定時間内に接触操作部が操作されたときには、切替スイッチではなく接触操作部が操作されたものと判断して、吐水切替えを行わないようになしたものである。
従ってこの請求項２によっても、使用者による水栓の操作時に誤操作を防止し得て、水栓を使用者の目的通りに正しく動作させることができる。
【００２０】
次に請求項３のものは、切替スイッチが人体検知に状態変化することにより吐水切替えを行い、且つ接触操作部の操作時若しくは操作後の第２設定時間内に切替スイッチが人体検知に状態変化しても、吐水切替えを行わないようになしたものである。
切替スイッチが人体検知に状態変化しても、その際に接触操作部が同時に操作されていた場合、若しくは接触操作部の操作後の所定時間内に切替スイッチが人体検知に状態変化した場合、それは使用者が切替スイッチの操作を意図したものではなく、接触操作部の操作の目的をもって手を吐水管の先端部に差し出したものと判断することができる。
【００２１】
そこでこのような場合には、切替スイッチが人体検知に状態変化しても吐水切替え動作を行わないようになしたもので、この請求項３においても、使用者による水栓の操作時に切替スイッチによる誤検知に基づく水栓の誤動作を良好に防止することができる。
【００２２】
請求項４は、切替スイッチと接触操作部との配置に関するもので、ここでは接触操作部を切替スイッチの下方に配置するようにしている。
水栓使用者が接触操作部を操作しようとするとき、通常、使用者は接触操作部に対し下方から若しくは側方から接触操作部に向けて手を伸ばす動作を行う。
従って接触操作部を切替スイッチの下方に配置しておけば、使用者が接触操作部を操作しようとして手を差し出したときに、切替スイッチがこれを誤って検知してしまうのを効果的に回避でき、水栓の誤動作を良好に防止することができる。
【００２３】
ここで非接触式の切替スイッチは、吐水と止水とを切り替えるものとなしておくことができる。或いは水と湯（水及び熱湯の混合水）との切替えを行うもの、更には水道水である原水と浄水の切替えを行うものとなしておくことができる。
一方接触操作部は、吐水の流量調節を行うもの或いは吐水の温度調節を行うものとなしておくことができる。
【００２４】
また上記吐水管は、最上位の位置から先端にかけて下向きに下がった形状のものとなしておき、その下向きに下がった形状の部分に上記の切替スイッチ，接触操作部を設けておくことができる。
この場合において、吐水管は逆Ｕ字状のグースネック形状のものとなしておくことができる。
【００２５】
上記接触操作部は電気的操作部となしておくことができる。即ち接触操作部の操作量に対応した電気信号を生ぜしめるものとなしておくことができる。
この場合、制御部でその電気信号に基いて対応する制御弁を作動させることによって、吐水状態調節を行うようになしておくことができる。
【発明を実施するための最良の形態】
【００２６】
次に本発明の実施形態を図面に基づいて詳しく説明する。
図１において、１０は本実施形態の水栓で、１２は水栓１０における吐水管である。
吐水管１２は、カウンター上面等横設された取付面１４から起立する形態で設けられている。
吐水管１２は、全体として逆Ｕ字状のグースネック形状をなしており、その先端に吐水口１６が備えられている。
また吐水管１２には、最上位から先端にかけて下向きに下がった下り形状部１２Ａ且つその先端部の上面に、吐水切替えを行う非接触式の切替スイッチ１８と、吐水状態調節を行う接触操作部２０とが設けられている。
ここで接触操作部２０は、ここでは回転により吐水状態調節を行うダイヤル操作部とされている。
ここで切替スイッチ１８は、外周形状が円形状をなしており、またこれに対応して接触操作部２０は、内周形状及び外周形状の何れもが円形状をなしている。
【００２７】
吐水管１２の先端部には、図１（Ｃ）に示しているように接触操作部２０の外周形状に対応した形状の凹部２２が設けられている。上記接触操作部２０は、切替スイッチ１８とともにこの凹部２２に嵌込状態に設けられている。
ここで接触操作部２０は、凹部２２に回転可能な状態に嵌め込まれている。
【００２８】
接触操作部２０は、その上面（頂面）が吐水管１２の上面と面一面をなすように凹部２２に嵌め込まれている。
また接触操作部２０は、その一部が凹部２２の側面の開口、即ち吐水管１２の側面よりも側方に突出せしめられている。
従って接触操作部２０は、その側方への突出部２０Ａを手で摘む等してこれを回転操作することができる。
【００２９】
この実施形態において、切替スイッチ１８は、使用者が手を差し出したときの人体検知の有無に基づいて吐水と止水との切替え等の吐水切替えを行う。
また接触操作部２０は、回転操作によって吐水の流量調節等の吐水状態調節を行う。
【００３０】
但しこの接触操作部２０は電気的操作部として構成してあって、この接触操作部２０を回転させると、回転位置検出センサがこれを検知して、その回転位置に応じた信号を発生する。そしてその信号が後述の制御部４６に送られて、制御部４６がその信号に基いて対応する制御弁を作動させる。
従ってこの接触操作部２０は極めて軽やかに回転操作することのできるものである。
【００３１】
尚、吐水管１２には、その上面に且つ接触操作部２０の直上位置に、吐水流量や吐水温度等の現在の吐水状態を表示するための表示部２４が設けられており、またこれに対応して接触操作部２０には、その表示部２４の何れかの位置を指し示す指示部（目印）２６が、接触操作部２０と一体回転する状態に設けられている。
従って接触操作部２０を回転操作したとき、現在の吐水状態がどの吐水状態にあるかを、その指示部２６と表示部２４とによって使用者が明確に認識することができる。
【００３２】
図２において、２８は冷水を供給する給水路，３０は熱湯を供給する給湯路で、３２はそれら給水路２８，給湯路３０を通じて送られてきた冷水と熱湯とを混合し、且つその混合比率を調節する混合弁で、弁部３４とその開度調節を行うモータ（ここではステッピングモータ）３６とを有している。
この混合弁３２は、水（冷水。以下単に水とするときは冷水を意味する）と熱湯との混合比率を連続的に変化させることができる。即ち混合水（以下単に湯とする）温度を連続的に変化させることができる。
３８は、この混合弁３２からの水又は湯（場合によって熱湯）を吐水管１２に供給する供給路で、この供給路３８上に吐止水弁を兼ねた流量調節弁（吐水切替弁且つ吐水状態調節弁）４０が設けられている。
【００３３】
流量調節弁４０は、弁部４２とその開度調節を行うモータ（ここではステッピングモータ）４４とを有している。
この流量調節弁４０は、モータ４４にて弁部４２の開度を連続的に変化させることができ、これにより供給路３８を通じて吐水管１２に送られる水や湯の流量を連続的に変化させることが可能である。
従って流量調節弁４０は、弁部４２を閉弁させ又は開弁させることによって供給路３８を開閉する開閉弁（吐止水弁）としての働きも有する。
尚、供給路３８上には温度センサ４５が設けられている。
【００３４】
４６は制御部で、この制御部４６に対し、上記の切替スイッチ１８，接触操作部２０（詳しくはその回転位置を検出する回転位置検出センサ）が電気的に接続されている。
この制御部４６にはまた混合弁３２のモータ３６，流量調節弁４０のモータ４４，温度センサ４５のそれぞれが電気的に接続されている。
この実施形態では、制御部４６からの指令によって混合弁３２，流量調節弁４０がそれぞれ作動制御される。
【００３５】
４８は、給水路２８と供給路３８とを、混合弁３２，流量調節弁４０，温度センサ４５をバイパスして接続する状態に設けられた浄水路で、この浄水路４８上に、水道水を通過させてその際に浄化を行う浄化フィルタ５０及び浄水弁５２が設けられている。
ここで浄水弁５２は、弁部５４とその開度調節を行うモータ５６とを有しており、そのモータ５６が上記の制御部４６に電気的に接続され、かかるモータ５６が、即ち浄水弁（吐水切替弁）５２が制御部４６にて作動制御されるようになっている。
ここで浄水弁５２は、モータ５６にて弁部５４を開閉させる吐止水弁である。但し場合によって弁部５４の開度を連続的に変化させるようになしておき、弁部５４にて浄水の吐止水及び流量調節も併せて行うようになしておくことも可能である。
【００３６】
上記切替スイッチ１８は、様々な切替スイッチとして構成することが可能であり、また接触操作部２０も、これに応じて様々な吐水状態調節用として構成することが可能である。
例えば切替スイッチ１８は、これを吐水と止水とを切り替える切替スイッチとして構成し、また接触操作部２０は、吐水流量を連続的に調節する操作部として構成することができる。
【００３７】
この場合、例えば止水状態の下で使用者が切替スイッチ１８を非接触操作（手を切替スイッチの正面上方、厳密には正面の前方斜め上方に手かざし操作若しくはその後に切替スイッチ１８の上方から手を外す操作）をすると、切替スイッチ１８からの信号が制御部４６に入力されて、制御部４６が流量調節弁４０を開弁させる。
【００３８】
ここにおいて供給路３８を通じ吐水管１２に混合弁３２の弁状態に応じて湯又は水が供給され、吐水口１６から吐出せしめられる。
また接触操作部２０を回転操作すると、流量調節弁４０における弁部４２の開度が変化せしめられ、吐水口１６から吐出される吐水の流量が調節される。
【００３９】
尚このとき、混合弁３２が水側に切り替っていれば吐水口１６から水が吐水され、且つ接触操作部２０の操作によって水の吐水流量が調節される。
或いは混合弁３２が湯側に切り替っていれば吐水口１６から湯が吐水され、且つその吐水流量が接触操作部２０の操作によって調節される。
【００４０】
尚これらの場合には、図２における浄水路４８及び浄水路４８上に設けられた浄水フィルタ５０，浄水弁５２を除いた構造で水栓１０を構成しておくことができる。
或いはこのような浄水路４８，浄水フィルタ５０，浄水弁５２を設けておいて、別途の操作手段にて浄水を吐水したり止水したり、或いは場合によって浄水の流量を調節したりするといったことも可能である。
【００４１】
さて吐水口１６から吐水が行われている状態で、再び切替スイッチ１８を非接触操作すると、ここにおいて切替スイッチ１８からの信号により制御部４６にて流量調節弁４０が閉弁せしめられる。ここにおいて吐水口１６からの吐水が停止する。即ち止水する。
以上のように切替スイッチ１８は、ここでは非接触操作（手かざし操作）するごとに切替動作を行うものとなしてある。
【００４２】
切替スイッチ１８はまた、水と湯との切替用として構成しておくこともできる。
尚この場合には、吐水と止水とを切り替えるための操作部を別途に設けておく。
【００４３】
このように切替スイッチを水と湯との切替用として構成した場合、切替スイッチ１８を非接触操作するごとに混合弁３２が水側と湯側とに切り替り、切替スイッチ１８の非接触操作によって水吐水側に切り替った場合には、混合弁３２が給湯路３０と供給路３８とを遮断し、給水路２８だけを供給路３８に対して連通状態とし、給水路２８からの水だけを供給路３８に通して吐水口１６から吐出せしめる。
【００４４】
また一方切替スイッチ１８が湯側に切り替ったときには、混合弁３２が、給水路２８からの水と給湯路３０からの熱湯とを所定比率で混合する状態に切り替り、混合状態の湯を供給路３８を通じて吐水管１２に導き、吐水口１６から吐出せしめる。
【００４５】
また吐水口１６から水が吐出されるときには、接触操作部２０を回転操作することによって水の吐水流量が調節され、吐水口１６から湯が吐出されているときには、接触操作部２０の回転操作によって湯の吐水流量が調節される。
このとき、接触操作部２０に設けた指示部２６と吐水管１２に設けた表示部２４とによって、現在の吐水流量を使用者が明確に認識することができる。
尚この場合、湯の温度調節は別途の操作部にて行うことができる。
【００４６】
切替スイッチ１８を水と湯との切替用として構成した場合において、接触操作部２０を吐水（湯）の温度調節用の操作部として構成することが可能である。
この場合には、接触操作部２０を回転操作することによって、吐水口１６から吐出される湯の温度を調節することができる。
具体的にはこの場合には、接触操作部２０を回転操作すると、混合弁３２の弁部３４がこれに応じて作動せしめられ、給水路２８からの水と給湯路３０からの熱湯の混合の比率を変化させる。
このとき、吐水管１２に設けた表示部２４と接触操作部２０に設けた指示部２６とによって、現在の吐水温度がどの温度になっているかを使用者が明確に認識することができる。
【００４７】
切替スイッチ１８はまた、原水（水道水）と浄水との切替用のスイッチとして構成することもできる。
この場合、切替スイッチ１８を非接触操作するごとに、吐水口１６からの吐水が原水から浄水に若しくはその逆に切り替る。
例えば吐水口１６から原水が吐出されている状態で切替スイッチ１８を非接触操作すると、供給路３８上の流量調節弁４０が閉弁して、これに代わり浄水弁５２が開弁状態となり、給水路２８からの水が、これから分岐した浄水路４８側に流れ込んで、浄水フィルタ５０を通過し、そこで浄水とされた上で、かかる浄水が吐水管１２へと送られて吐水口１６から吐出される。
【００４８】
一方、この状態で切替スイッチ１８を非接触操作すると、今度は浄水弁５２が閉弁し、これに代わって供給路３８上の流調調節弁４０が開弁状態となって、吐水口１６から原水（水又は湯或いは場合によって熱湯）が吐出せしめられる。
尚このときには、接触操作部２０は、通常は原水の吐水流量調節用として構成しておく。
尚このように切替スイッチ１８を原水と浄水との切替用として構成しておく場合には、吐水と止水との切替えを行うための操作部を別途に設けておく。
【００４９】
図２では、給水路２８と給湯路３０との合流部に混合弁３２を設けているが、図３に示しているように混合弁３２に代えて、給水路２８上に吐止水弁を兼ねた流量調節弁５８を、また給湯路３０上に吐止水弁を兼ねた流量調節弁６０を、それぞれ設けておくことも可能である。
ここで流量調節弁５８は、弁部６２をモータ（ここではステッピングモータ）６４にて連続的に開度調節できるものであり、また流量調節弁６０は、弁部６６をモータ（ここではステッピングモータ）６８にて連続的に開度調節できるものである。
【００５０】
この図３に示すものにおいては、流量調節弁５８，６０の開度をそれぞれ調節することによって、水と熱湯との混合比率を連続的に変化させて、吐水温度を調節することができ、また流量調節弁５８，６０の開度を共に変化させることで（水と湯との混合比率を一定に保ったままで）、吐水温度を一定に保ったままで吐水流量を連続的に変化させることが可能である。
従ってこの図３に示すものにおいては、図２に示す供給路３８上の流量調節弁４０も省略されている。
尚、給水路２８及び給湯路３０上には、それぞれ温度センサ４５が設けられており、それらは制御部４６と電気的に接続されている。
他の点については図２に示すものと同様である。
【００５１】
この実施形態では、切替スイッチ１８が非接触で人体検知する非接触式のスイッチとされ、一方でダイヤル操作部２０が接触式の操作部であることに起因して、使用者がダイヤル操作部２０を操作しようとして手をこれに近づけたときに、切替スイッチ１８が誤ってこれを検知してしまい、切替スイッチ１８が誤動作してしまう恐れがある。
【００５２】
図４〜図６は切替スイッチ１８による誤検知、即ち切替スイッチ１８の誤操作を有効に防止するための、制御部４６による制御の例を示している。
但しこれら図４〜図６の例は、何れも切替スイッチ１８にて吐水と止水を切替え、また接触操作部２０にて吐水流量調節を行う場合の例である。
【００５３】
先ず図４の例は、切替スイッチ１８が人体検知から非検知に状態変化したタイミングで吐水切替え、即ち止水状態であれば止水から吐水状態へ、また吐水状態であれば吐水から止水へと吐水切替えを行うようになした例である。
但しこの例では、切替スイッチ１８が人体検知から非検知状態に状態変化しても、切替スイッチ１８が人検知中に接触操作部２０が操作されたとき（接触操作部２０が操作されると信号が制御部４６に入力される）には、切替スイッチ１８が人体非検知に状態変化しても吐水切替えは行わない。
尚、図４の吐水流量の欄の数値は吐水流量の大小を表しており、また接触操作の欄の数値は接触操作部２０の操作量の程度を表している。
【００５４】
以上の実施形態は、切替スイッチ１８が人体検知中に接触操作部２０が操作された場合、切替スイッチ１８による人体検知は、使用者が接触操作部２０を操作しようとして手を差し出したときに、切替スイッチ１８がこれを誤って検知したものと判断し、そこで切替スイッチ１８が人体非検知に状態変化しても、使用者の行為が切替スイッチ１８の操作を目的としたものでないと判断して、吐水切替えを行わないようになしたものである。
従ってこの実施形態によれば、使用者が接触操作部２０を操作しようとしたものか、或いは切替スイッチ１８を操作しようとしたものかを正しく区別し得て、水栓１０の誤動作を防止することができる。
【００５５】
一方図５の例は、切替スイッチ１８が人体非検知の状態から人体検知に状態変化することにより吐水切替えを行い、且つ人体検知後の第１設定時間Ｔ１内に接触操作部２０が操作されたときには検知状態であっても吐水切替えを行わないようになした例である。
即ちこの例は、切替スイッチ１８が人体検知に状態変化しても直ちに吐水切替えを行わず、第１設定時間Ｔ１待って、切替スイッチ１８が操作されたのか或いは接触操作部２０が操作されたのかを判断し、そして第１設定時間Ｔ１内に接触操作部が操作されなかった場合には、切替スイッチ１８が操作されたものと判断して吐水切替えを行い、一方、設定時間Ｔ１内に接触操作部２０が操作されたときには、切替スイッチ１８による人体検知は使用者が接触操作部２０を操作しようとして手を差し出したことによるものと判断し、切替スイッチ１８による吐水切替えを行わないようになした例である。
【００５６】
この図５の例においても、使用者による水栓１０の操作時に誤操作を防止し得て、水栓１０を使用者の目的通りに正しく動作させることができる。
【００５７】
他方図６の例は、図５の例と同様に切替スイッチ１８が人体検知に状態変化することによって吐水切替えを行うようになし、且つ接触操作部２０の操作時若しくは操作後の第２設定時間Ｔ２内に切替スイッチ１８が人体検知に状態変化しても、吐水切替えを行わないようになした例である。
この図６の例においても、使用者による水栓１０の操作時に切替スイッチ１８による誤検知に基づく水栓１０の誤動作を良好に防止することができる。
【００５８】
次に図７は本発明の他の実施形態を示している。
この例は、回転式の接触操作部８０を、吐水管１２の先端部に且つ切替スイッチ１８の下方に近接して配置した例である。
図７に示す例は、接触操作部８０が吐水管１２の側方に突出し且つ吐水管１２の軸心と直交する回転軸心周りに回転する形態で接触操作部８０を設けた例である。
ここで接触操作部８０には、その回転軸心と直交方向に突出するレバー部８２が設けてある。
【００５９】
図８は本発明の更に他の実施形態を示している。
この例もまた接触操作部８４を吐水管１２の先端部に且つ切替スイッチ１８の下方に近接して配置した例である。
但しこの例では接触操作部８４が、吐水管１２の外周面に沿ってリング状に且つ吐水管１２の軸心周りに回転可能に設けてある。
この例においても、接触操作部８４には側方に突出するレバー部８６が備えてある。
【００６０】
水栓使用者が接触操作部８０，８４を操作しようとするとき、通常、使用者は接触操作部８０，８４に対し下方から若しくは側方から接触操作部８０，８４に向けて手を伸ばす動作を行う。
従って接触操作部８０，８４を切替スイッチ１８の下方に配置しておけば、使用者が接触操作部８０，８４を操作しようとして手を差し出したときに、切替スイッチ１８がこれを誤って検知してしまうのを効果的に回避でき、水栓１０の誤動作を良好に防止することができる。
【００６１】
以上本発明の実施形態を詳述したがこれらはあくまで一例示であり、本発明はその趣旨を逸脱しない範囲において種々変更を加えた形態で構成可能である。
【図面の簡単な説明】
【００６２】
【図１】本発明の一実施形態である水栓の斜視図である。
【図２】同実施形態の水栓の構成を模式的に示した図である。
【図３】本発明の他の実施形態の図である。
【図４】図１ないし図３の制御部による制御の一例をタイムチャートで表わした図である。
【図５】図４とは異なる制御の例をタイムチャートで表わした図である。
【図６】図４及び図５とは異なる制御の例をタイムチャートで表わした図である。
【図７】接触操作部の他の配置例及び形状例を示した図である。
【図８】接触操作部の更に他の配置例及び形状例を示した図である。
【符号の説明】
【００６３】
１０  水栓
１２  吐水管
１６  吐水口
１８  切替スイッチ
２０  接触操作部
４６  制御部
【図１】
2008255743.tif 000003
【図２】
2008255743.tif 000004
【図３】
2008255743.tif 000005
【図４】
2008255743.tif 000006
【図５】
2008255743.tif 000007
【図６】
2008255743.tif 000008
【図７】
2008255743.tif 000009
【図８】
2008255743.tif 000010